(57)【要約】【課題】契約者情報が受信された時点で番組の記録を開始することができるようにする。【解決手段】予約記録開始時刻になると、ステップＳ１において受信信号から視聴許可情報が取得されたか否かを判定し、視聴許可情報が取得されたと判定された場合、ステップＳ２において表示部への画面表示およびスピーカからの音声出力を開始し、ステップＳ３において記録媒体への予約記録を開始し処理を終了する。一方、受信信号から視聴許可情報を取得することができなかった場合、ステップＳ４において表示部への画面表示およびスピーカからの音声出力を停止させ、ステップＳ５において予約記録終了時刻以前であると判定された場合、ステップＳ１に戻ってステップＳ１以降の処理を繰り返し実行し、予約記録終了時刻以降であると判定された場合、処理を終了する。【選択図】図２
2006340314.tif 000002
【特許請求の範囲】
【請求項１】
映像又は音声情報に加え視聴契約情報を含み得る放送信号を受信し、前記視聴契約情報を元に有料放送の視聴が可能な放送受信端末であって、
前記放送信号を受信する受信手段と、
前記受信手段によって受信された前記放送信号に含まれる前記映像又は音声情報を再生する再生手段と、
前記受信手段によって受信された前記放送信号に含まれる前記視聴契約情報に対して抽出処理を行う抽出手段と、
前記受信手段によって受信された前記放送信号を所定の記録媒体に記録する記録手段と、
前記記録手段による前記放送信号の前記記録媒体への記録の開始および停止を現在の日時を表す所定の時計情報および前記視聴契約情報に基づいて制御する予約記録制御手段とを備え、
予約された所定の予約番組の放送開始時刻から放送終了時刻までの間において、前記抽出手段によって前記予約番組に対応する前記放送信号に含まれる前記視聴契約情報が抽出された時点で、前記予約記録制御手段による制御により、前記記録手段は前記放送信号の前記記録媒体への記録を開始する
ことを特徴とする放送受信端末。
【請求項２】
現在の日時を表す前記時計情報を出力する時計手段をさらに備える
ことを特徴とする請求項１に記載の放送受信端末。
【請求項３】
前記抽出手段による前記抽出処理によって得られた前記視聴契約情報に基づいて、前記放送受信端末が待機状態または記録状態になるように制御する制御手段をさらに備える
ことを特徴とする請求項１または２に記載の放送受信端末。
【請求項４】
映像又は音声情報に加え視聴契約情報を含み得る放送信号を受信し、前記視聴契約情報を元に有料放送の視聴が可能な放送受信端末を制御する放送受信端末の制御方法であって、
前記放送信号を受信する受信ステップと、
前記受信ステップにおいて受信された前記放送信号に含まれる前記映像又は音声情報を再生する再生ステップと、
前記受信ステップにおいて受信された前記放送信号に含まれる前記視聴契約情報に対して抽出処理を行う抽出ステップと、
前記受信ステップにおいて受信された前記放送信号を所定の記録媒体に記録する記録ステップと、
前記記録ステップにおける前記放送信号の前記記録媒体への記録の開始および停止を現在の日時を表す所定の時計情報および前記視聴契約情報に基づいて制御する予約記録制御ステップとを備え、
予約された所定の予約番組の放送開始時刻から放送終了時刻までの間において、前記抽出ステップにおいて前記予約番組に対応する前記放送信号に含まれる前記視聴契約情報が抽出された時点で、前記予約記録制御ステップにおける制御により、前記記録ステップにおいて前記放送信号の前記記録媒体への記録が開始される
ことを特徴とする放送受信端末の制御方法。
【請求項５】
現在の日時を表す前記時計情報を出力する時計ステップをさらに備える
ことを特徴とする請求項４に記載の放送受信端末の制御方法。
【請求項６】
前記抽出ステップにおける前記抽出処理によって得られた前記視聴契約情報に基づいて、前記放送受信端末が待機状態または記録状態になるように制御する制御ステップをさらに備える
ことを特徴とする請求項４または５に記載の放送受信端末の制御方法。
【請求項７】
映像又は音声情報に加え視聴契約情報を含み得る放送信号を受信し、前記視聴契約情報を元に有料放送の視聴が可能な放送受信端末を制御する放送受信端末の制御プログラムであって、
前記放送信号を受信する受信ステップと、
前記受信ステップにおいて受信された前記放送信号に含まれる前記映像又は音声情報を再生する再生ステップと、
前記受信ステップにおいて受信された前記放送信号に含まれる前記視聴契約情報に対して抽出処理を行う抽出ステップと、
前記受信ステップにおいて受信された前記放送信号を所定の記録媒体に記録する記録ステップと、
前記記録ステップにおける前記放送信号の前記記録媒体への記録の開始および停止を現在の日時を表す所定の時計情報および前記視聴契約情報に基づいて制御する予約記録制御ステップとを前記放送受信端末に実行させ、
予約された所定の予約番組の放送開始時刻から放送終了時刻までの間において、前記抽出ステップにおいて前記予約番組に対応する前記放送信号に含まれる前記視聴契約情報が抽出された時点で、前記予約記録制御ステップにおける制御により、前記記録ステップにおいて前記放送信号の前記記録媒体への記録が開始されるように制御する
ことを特徴とする放送受信端末の制御プログラム。
【請求項８】
現在の日時を表す前記時計情報を出力する時計ステップをさらに備える
ことを特徴とする請求項７に記載の放送受信端末の制御プログラム。
【請求項９】
前記抽出ステップにおける前記抽出処理によって得られた前記視聴契約情報に基づいて、前記放送受信端末が待機状態または記録状態になるように制御する制御ステップをさらに備える
ことを特徴とする請求項７または８に記載の放送受信端末の制御プログラム。
【発明の詳細な説明】
【技術分野】
【０００１】
本発明は、視聴許可情報（視聴契約情報）を受信することにより、デジタル放送の有料番組の視聴が可能な放送受信端末に関する。
【背景技術】
【０００２】
近年、米国や日本をはじめとする先進各国において、デジタル放送が開始され普及してきている。
ところで、このようなデジタル放送にあっては、特に有料番組を視聴する場合、視聴許可情報となる契約者情報（ＣＡ：Conditional Access:以下、ＣＡ情報という）を受け取らないと放送受信を行うことができないようになっている。
また、放送を視聴する場合に限らず予約記録を行う場合にも、契約者情報を受け取っていないと予約記録開始時刻になっても記録は開始されない。この場合、予約記録は実行できないため予約による番組記録は失敗してしまう。
特に、携帯型受信端末のように、持ち運んで使用する機器では、受信状態の変動が激しいため、予約記録開始時刻に契約者情報が受け取れない可能性が大きい。
図３は、従来の予約記録の手順を示すフローチャートである。現在時刻が予約された日の予約記録開始時刻になると、まず、ステップＳ１１において、視聴許可情報が受信されたか否かが判定される。その結果、視聴許可情報が受信されていないと判定された場合、予約記録は行わず、本処理を終了する。一方、視聴許可情報が受信されたと判定された場合、ステップＳ１２に進み、指定された番組の予約記録を開始する。その後、予約記録終了時刻になると、予約記録を終了し、本処理を終了する。
また、特許文献１では、予約された番組が契約されていない場合に、予約記録を行わないデジタル放送受信装置が提案されている。
【特許文献１】特開平２−１４９０３２号公報
【発明の開示】
【発明が解決しようとする課題】
【０００３】
しかしながら、特許文献１によるデジタルテレビ放送受信装置では、予約記録開始時の契約者情報を元に記録開始の判断をしているため、予約記録終了時刻までに契約者情報が更新されて放送を視聴することができる状態になっても予約記録を開始することができないことになる。そのため、このような対応では放送局側で契約者情報の送信が遅れた場合、記録予約した番組がまったく記録されないといったことになる。
即ち、予約記録開始時刻に契約者情報が受信できなかったために予約記録が開始しなかった場合において、予約記録終了時刻までに契約者情報が受信されて更新された時に、予約記録を開始することができないという問題点があった。
本発明はこのような状況に鑑みてなされたものであり、予約記録開始時刻に契約者情報を受信することができなくても、予約記録終了時刻までに契約者情報を受信することができた場合、契約者情報を受信した時点で予約記録を開始することができるようにするものである。
【課題を解決するための手段】
【０００４】
請求項１に記載の放送受信端末は、映像又は音声情報に加え視聴契約情報を含み得る放送信号を受信し、視聴契約情報を元に有料放送の視聴が可能な放送受信端末であって、放送信号を受信する受信手段と、受信手段によって受信された放送信号に含まれる映像又は音声情報を再生する再生手段と、受信手段によって受信された放送信号に含まれる視聴契約情報に対して抽出処理を行う抽出手段と、受信手段によって受信された放送信号を所定の記録媒体に記録する記録手段と、記録手段による放送信号の記録媒体への記録の開始および停止を現在の日時を表す所定の時計情報および視聴契約情報に基づいて制御する予約記録制御手段とを備え、予約された所定の予約番組の放送開始時刻から放送終了時刻までの間において、抽出手段によって予約番組に対応する放送信号に含まれる視聴契約情報が抽出された時点で、予約記録制御手段による制御により、記録手段は放送信号の記録媒体への記録を開始することを特徴とする。
また、現在の日時を表す時計情報を出力する時計手段をさらに備えるようにすることができる。
また、抽出手段による抽出処理によって得られた視聴契約情報に基づいて、放送受信端末が待機状態または記録状態になるように制御する制御手段をさらに備えるようにすることができる。
請求項４に記載の放送受信端末の制御方法は、映像又は音声情報に加え視聴契約情報を含み得る放送信号を受信し、視聴契約情報を元に有料放送の視聴が可能な放送受信端末を制御する放送受信端末の制御方法であって、放送信号を受信する受信ステップと、受信ステップにおいて受信された放送信号に含まれる映像又は音声情報を再生する再生ステップと、受信ステップにおいて受信された放送信号に含まれる視聴契約情報に対して抽出処理を行う抽出ステップと、受信ステップにおいて受信された放送信号を所定の記録媒体に記録する記録ステップと、記録ステップにおける放送信号の記録媒体への記録の開始および停止を現在の日時を表す所定の時計情報および視聴契約情報に基づいて制御する予約記録制御ステップとを備え、予約された所定の予約番組の放送開始時刻から放送終了時刻までの間において、抽出ステップにおいて予約番組に対応する放送信号に含まれる視聴契約情報が抽出された時点で、予約記録制御ステップにおける制御により、記録ステップにおいて放送信号の記録媒体への記録が開始されることを特徴とする。
また、現在の日時を表す時計情報を出力する時計ステップをさらに備えるようにすることができる。
また、抽出ステップにおける抽出処理によって得られた視聴契約情報に基づいて、放送受信端末が待機状態または記録状態になるように制御する制御ステップをさらに備えるようにすることができる。
請求項７に記載の放送受信端末の制御プログラムは、映像又は音声情報に加え視聴契約情報を含み得る放送信号を受信し、視聴契約情報を元に有料放送の視聴が可能な放送受信端末を制御する放送受信端末の制御プログラムであって、放送信号を受信する受信ステップと、受信ステップにおいて受信された放送信号に含まれる映像又は音声情報を再生する再生ステップと、受信ステップにおいて受信された放送信号に含まれる視聴契約情報に対して抽出処理を行う抽出ステップと、受信ステップにおいて受信された放送信号を所定の記録媒体に記録する記録ステップと、記録ステップにおける放送信号の記録媒体への記録の開始および停止を現在の日時を表す所定の時計情報および視聴契約情報に基づいて制御する予約記録制御ステップとを放送受信端末に実行させ、予約された所定の予約番組の放送開始時刻から放送終了時刻までの間において、抽出ステップにおいて予約番組に対応する放送信号に含まれる視聴契約情報が抽出された時点で、予約記録制御ステップにおける制御により、記録ステップにおいて放送信号の記録媒体への記録が開始されるように制御することを特徴とする。
また、現在の日時を表す時計情報を出力する時計ステップをさらに備えるようにすることができる。
また、抽出ステップにおける抽出処理によって得られた視聴契約情報に基づいて、放送受信端末が待機状態または記録状態になるように制御する制御ステップをさらに備えるようにすることができる。
【発明の効果】
【０００５】
本発明の放送受信端末によれば、予約記録開始時刻に視聴許可情報を受信することができなかった場合でも、予約記録終了時刻までに契約者情報を受信することができれば、契約者情報を受信した時点で予約記録を開始することができる。
従って、特に、携帯型受信端末のように、持ち運んで使用する機器では、受信状態の変動が激しいため、予約記録開始時刻に契約者情報が受け取れない可能性が大きい機器においても、契約者情報を受信した時点で予約記録を行うことができるという効果がある。
【発明を実施するための最良の形態】
【０００６】
以下、本発明の一実施の形態の構成および動作について説明する。
図１は、本発明の放送受信端末の一実施の形態の構成例を示すブロック図である。図２は、図１の放送受信端末の動作を説明するためのフローチャートである。
【０００７】
図１に示すように、放送受信端末は、アンテナ１、フロントエンド２、分離回路（ＤＥＭＵＸ）３、音声処理部（音声ＤＥＣＯＤＥ）４、ＡＭＰ５、スピーカ６、映像処理部（映像ＤＥＣＯＤＥ）７、ＯＳＤ（On Screen Display）回路８、表示部（ＬＣＤ（Liquid Crystal Display））９、マイコン１０、画面メモリ１１、記録媒体１２、マイコン１０に内蔵された時計１３を備えている。
【０００８】
ここで、放送受信に関わる回路は、少なくともフロントエンド２、分離回路（ＤＥＭＵＸ）３である。また、フロントエンド２、分離回路（ＤＥＭＵＸ）３は、受信手段を構成し、音声処理部４、ＡＭＰ５、スピーカ６、映像処理部７、ＯＳＤ回路８、表示部９は、再生手段を構成している。
【０００９】
アンテナ１は、映像放送、音声放送及びデータ放送等の各種チャンネルのＲＦ（Radio Frequency）信号を受信する。フロントエンド２は、チューナやデスクランブラ等により構成され、受信した各種チャンネルのうち、図示しないリモコン等によるユーザの選択操作に応じて、所望のチャンネルを受信チャンネルとして選択し、選択した受信チャンネルのＲＦ信号をデジタル信号に変換した後、デスクランブルを行うようになっている。
【００１０】
分離回路（ＤＥＭＵＸ）３は、フロントエンド２から供給されたデジタル信号を、映像データ、音声データ、ＥＰＧ（電子番組表）情報、視聴許可情報（視聴契約情報）としてのＣＡ情報（契約者情報）等の各データに分離し、出力するようになっている。
【００１１】
即ち、音声データを音声処理部４および記録媒体１２に供給し、映像データを、映像処理部７および記録媒体１２に供給するようになっている。また、ＥＰＧ情報およびＣＡ情報をマイコン１０にそれぞれ供給するようになっている。
【００１２】
音声処理部４は、分離回路（ＤＥＭＵＸ）３から供給された音声データをデコードしアナログの音声信号に変換してＡＭＰ５に供給する。ＡＭＰ５は、音声処理部４から供給されたアナログの音声信号を増幅し、スピーカ６に供給する。スピーカ６は、ＡＭＰ５によって増幅された音声信号を出力するようになっている。
【００１３】
映像処理部７は、分離回路（ＤＥＭＵＸ）３から供給された映像データをデコードしアナログの映像信号に変換してＯＳＤ回路８に供給するようになっている。
【００１４】
ＯＳＤ回路８は、映像処理部７から供給された映像信号と、マイコン１０からの指示に基づいて生成した所定の文字や図形等の映像信号とを合成した合成映像信号を表示部９に供給し、表示部９に映像信号の表示とオンスクリーン表示とを行わせるようになっている。
【００１５】
表示部９は、ＯＳＤ回路８より供給された合成映像信号を表示する。即ち、映像処理部７からＯＳＤ回路８に供給された映像信号と、ＯＳＤ回路８によって生成された文字や図形等の映像信号とを合成した合成映像信号を表示することにより、オンスクリーン表示を行うようになっている。
【００１６】
マイコン１０は、分離回路（ＤＥＭＵＸ）３から出力された映像データおよび音声データ等のデジタル信号を記録媒体１２に記録するようになっている。画面メモリ１１は、表示部９に表示すべき映像等に対応するビットマップイメージデータ等を一時的に記憶するようになっている。時計１３は、現在の日時を示す時計情報を出力するようになっている。
【００１７】
また、予約記録の実行は、マイコン１０に内蔵されている時計１３から出力される時計情報に基づいてマイコン１０の制御により開始される。このとき、マイコン１０は、予約記録の対象となる番組が放送されるチャンネルを選局するよう指示する制御信号をフロントエンド２に対して供給する。この制御信号を受けたフロントエンド２は、マイコン１０によって選局するよう指示されたチャンネルを選局し、予約記録の対象となる番組に対応する受信信号を分離回路（ＤＥＭＵＸ）３に供給する。
【００１８】
図２は、予め予約しておいた番組の予約記録を行う場合の処理手順を示すフローチャートである。予約記録開始時刻になると、マイコン１０により、予約されている番組が放送されるチャンネルを選局するよう指示する制御信号がフロントエンド２に供給される。この制御信号を受けたフロントエンド２は、指示されたチャンネルを選局し、そのチャンネルの受信信号を分離回路（ＤＥＭＵＸ）３に供給する。
【００１９】
次に、ステップＳ１において、マイコン１０により、フロントエンド２から出力される受信信号から分離回路（ＤＥＭＵＸ）３によってＣＡ情報（視聴許可情報）が分離され、マイコン１０に供給されたか否かが判定される。
【００２０】
その結果、ＣＡ情報がマイコン１０に供給された（予約番組の視聴が許可された）と判定された場合、ステップＳ２に進む。一方、ＣＡ情報がマイコン１０に供給されていない（予約番組の視聴が許可されていない）と判定された場合、ステップＳ４に進む。
【００２１】
ステップＳ２においては、マイコン１０の制御下、分離回路（ＤＥＭＵＸ）３より出力された映像データおよび音声データが記録媒体１２に供給され、ステップＳ３において、映像データおよび音声データの記録媒体１２への記録が開始される。その後、映像データおよび音声データの記録媒体１２への記録が終了すると、本予約処理を終了する。
【００２２】
一方、ステップＳ４においては、マイコン１０の制御下、分離回路（ＤＥＭＵＸ）３より出力された映像データおよび音声データの記録媒体１２への供給が停止されるとともに、音声処理部４、ＡＭＰ５、スピーカ６、映像処理部７、ＯＳＤ回路８、および表示部９への給電を停止する。これにより、電力の消費を抑えることができる。
【００２３】
次に、ステップＳ５において、現在の時刻（時計１３より出力される時計情報によって表される時刻）が予約記録終了時刻と一致するかまたは予約記録終了時刻を過ぎたが否かが判定される。その結果、現在の時刻がまだ予約記録終了時刻になっていないと判定された場合、ステップＳ１に戻り、ステップＳ１以降の処理が繰り返し実行される。
【００２４】
一方、現在の時刻が予約記録終了時刻と一致するかまたは予約記録終了時刻を過ぎたと判定された場合、本予約処理を終了する。
【００２５】
即ち、マイコン１０は、視聴許可情報を受信できないときは、予約記録終了時刻になるまで視聴許可情報の取得を試み続け、視聴許可情報（契約者情報）を取得することができた時点で、映像データおよび音声データの記録媒体１２への記録を開始する。
【００２６】
このように、本実施形態では、マイコン１０の制御により、予約記録開始時刻に視聴可能であることを示す契約者情報が取得できなくても予約記録終了時刻になるまで、契約者情報の取得確認を試みる。そして視聴可能であることを示す契約者情報が取得できた時点で予約された番組の映像データおよび音声データの記録媒体１２への記録を開始することができる。
【００２７】
更に、予約記録開始時刻後に予約記録ができなかった場合において、視聴可能であることを示す契約者情報の取得を試みている間は、音声と映像の出力に関わる部分（例えば、音声処理部４、映像処理部７、ＡＭＰ５、ＯＳＤ回路８、スピーカ６、表示部９等）への給電を行わないようにすることにより、消費電力を削減することが可能となる。
【００２８】
なお、本実施の形態では、視聴許可情報としてＣＡ情報を用いた場合について説明したが、ＣＡ情報以外の情報を視聴許可情報として用いてもよいことは勿論である。
【産業上の利用可能性】
【００２９】
本発明は、音声と映像の出力機能を持つモバイル放送や地上波デジタルのモバイル機器向け放送のための携帯型放送受信端末に有効であるが、それに限らず、ＢＳ（Broadcasting Satellite）放送、ＣＳ（Communication Satellite）放送等の衛星放送を受信する放送受信端末にも適用可能である。
【図面の簡単な説明】
【００３０】
【図１】本発明の放送受信端末の一実施の形態の構成例を示すブロック図である。
【図２】図１の放送受信端末の動作を説明するためのフローチャートである。
【図３】従来の放送受信端末の動作を説明するためのフローチャートである。
【符号の説明】
【００３１】
１  アンテナ
２  フロントエンド
３  分離回路（ＤＥＭＵＸ）
４  音声処理部（音声ＤＥＣＯＤＥ）
５  ＡＭＰ
６  スピーカ
７  映像処理部（映像ＤＥＣＯＤＥ）
８  ＯＳＤ回路
９  表示部（ＬＣＤ）
１０  マイコン
１１  画面メモリ
１２  記録媒体
１３  時計
【図１】
2006340314.tif 000003
【図２】
2006340314.tif 000004
【図３】
2006340314.tif 000005